(57)【要約】【課題】論理情報と実情報とを容易に合わせ込むことができるフィールド機器情報管理装置およびフィールド機器情報管理方法を提供する。【解決手段】フィールド機器情報管理装置１は、フィールド機器群の実情報と、論理情報とを比較する比較手段１１と、比較手段１１により得られた実情報と論理情報との差分を抽出する差分抽出手段１２と、差分抽出手段１２により抽出された差分を解消するように論理情報を変更する論理情報変更手段１３と、差分抽出手段１２における抽出結果または論理情報変更手段１３による論理情報の変更結果等を報告する報告手段１４と、を備える。また、フィールド機器情報管理装置１は、機器の実情報を格納する実情報格納部２１と、機器の論理情報を格納する論理情報格納部２２と、を備える。【選択図】図１
2010182102.tif 000002
【特許請求の範囲】
【請求項１】
コンフィギュレーションデータをダウンロードすることで機能するフィールド機器群の機器情報を管理するフィールド機器情報管理装置において、
前記フィールド機器群の実情報と、論理情報とを比較する比較手段と、
前記比較手段により得られた前記実情報と前記論理情報との差分を抽出する差分抽出手段と、
前記差分抽出手段により抽出された差分を解消するように前記論理情報を変更する論理情報変更手段と、
を備えることを特徴とするフィールド機器情報管理装置。
【請求項２】
前記差分抽出手段における抽出結果または前記論理情報変更手段による前記論理情報の変更結果を報告する報告手段を備えることを特徴とする請求項１に記載のフィールド機器情報管理装置。
【請求項３】
前記報告手段は、前記論理情報変更手段による前記論理情報の変更では解消できない差分の存在を報告することを特徴とする請求項２に記載のフィールド機器情報管理装置。
【請求項４】
コンフィギュレーションデータをダウンロードすることで機能するフィールド機器群の機器情報を管理するフィールド機器情報管理方法において、
前記フィールド機器群の実情報と、論理情報とを比較するステップと、
前記比較するステップにより得られた前記実情報と前記論理情報との差分を抽出するステップと、
前記差分を抽出するステップにより抽出された差分を解消するように前記論理情報を変更するステップと、
を備えることを特徴とするフィールド機器情報管理方法。
【請求項５】
前記差分を抽出するステップにおける抽出結果または前記論理情報を変更するステップによる前記論理情報の変更結果を報告するステップを備えることを特徴とする請求項４に記載のフィールド機器情報管理方法。
【請求項６】
前記論理情報を変更するステップによる前記論理情報の変更では解消できない差分の存在を報告するステップを備えることを特徴とする請求項４に記載のフィールド機器情報管理方法。
【発明の詳細な説明】
【技術分野】
【０００１】
本発明は、コンフィギュレーションデータをダウンロードすることで機能するフィールド機器群の機器情報を管理するフィールド機器情報管理装置およびフィールド機器情報管理方法に関する。
【背景技術】
【０００２】
ＦＦ（Ｆｏｕｎｄａｔｉｏｎ  Ｆｉｅｌｄｂｕｓ）対応機器では、事前に作成されているコンフィギュレーションデータを機器に設定（ダウンロード）する作業が必要となる。このため、予め登録された機器（論理機器）と機器タグ名が一致する実機器に対して、一括してコンフィギュレーションデータをダウンロードする機能が用意されている。この場合、機器タグ名が一致していない、あるいは機器レビジョンが異なっているなど、論理機器（論理情報）と実機器（実情報）との間で機器情報に差異がある場合には、ダウンロードできずダウンロードに失敗する。
【先行技術文献】
【特許文献】
【０００３】
【特許文献１】特開２００６−４８４５７号公報
【発明の概要】
【発明が解決しようとする課題】
【０００４】
しかし、一括してダウンロードする機能では、論理情報と実情報が合致していない場合にはエラー終了してしまい、その結果が分かり易く表示されないため、どの機器がどのような原因でロードに失敗したかを後日把握することができない。
【０００５】
機器情報に差異がある場合の対処方法として、ダウンロードに際して機器情報の差異を表示させ、機器情報を論理情報あるいは実情報のいずれに合わせるかを個別に指定することができる。この場合には、指定に応じた合わせ方で論理情報あるいは実情報のいずれかを他方に一致させる等値化を実行する。ただし、この方法では、フィールド機器１台ずつについて確認しながらの指定作業が必要となる。したがって、大規模なプラントでは、合わせ込みを機器１台ずつについて行うのでは、作業負担が大きすぎる。
【０００６】
本発明の目的は、論理情報と実情報とを容易に合わせ込むことができるフィールド機器情報管理装置およびフィールド機器情報管理方法を提供することにある。
【課題を解決するための手段】
【０００７】
本発明のフィールド機器情報管理装置は、コンフィギュレーションデータをダウンロードすることで機能するフィールド機器群の機器情報を管理するフィールド機器情報管理装置において、前記フィールド機器群の実情報と、論理情報とを比較する比較手段と、前記比較手段により得られた前記実情報と前記論理情報との差分を抽出する差分抽出手段と、前記差分抽出手段により抽出された差分を解消するように前記論理情報を変更する論理情報変更手段と、を備えることを特徴とする。
このフィールド機器情報管理装置によれば、実情報と論理情報との差分を抽出し、その差分を解消するように論理情報を変更するので、論理情報と実情報とを容易に合わせ込むことができる。
【０００８】
前記差分抽出手段における抽出結果または前記論理情報変更手段による前記論理情報の変更結果を報告する報告手段を備えてもよい。
【０００９】
前記報告手段は、前記論理情報変更手段による前記論理情報の変更では解消できない差分の存在を報告してもよい。
【００１０】
本発明のフィールド機器情報管理方法は、コンフィギュレーションデータをダウンロードすることで機能するフィールド機器群の機器情報を管理するフィールド機器情報管理方法において、前記フィールド機器群の実情報と、論理情報とを比較するステップと、前記比較するステップにより得られた前記実情報と前記論理情報との差分を抽出するステップと、前記差分を抽出するステップにより抽出された差分を解消するように前記論理情報を変更するステップと、を備えることを特徴とする。
このフィールド機器情報管理方法によれば、実情報と論理情報との差分を抽出し、その差分を解消するように論理情報を変更するので、論理情報と実情報とを容易に合わせ込むことができる。
【００１１】
前記差分を抽出するステップにおける抽出結果または前記論理情報を変更するステップによる前記論理情報の変更結果を報告するステップを備えてもよい。
【００１２】
前記論理情報を変更するステップによる前記論理情報の変更では解消できない差分の存在を報告するステップを備えてもよい。
【発明の効果】
【００１３】
本発明のフィールド機器情報管理装置によれば、実情報と論理情報との差分を抽出し、その差分を解消するように論理情報を変更するので、論理情報と実情報とを容易に合わせ込むことができる。
【００１４】
本発明のフィールド機器情報管理方法によれば、実情報と論理情報との差分を抽出し、その差分を解消するように論理情報を変更するので、論理情報と実情報とを容易に合わせ込むことができる。
【図面の簡単な説明】
【００１５】
【図１】一実施形態のフィールド機器情報管理装置の構成を示すブロック図。
【図２】フィールド機器情報管理装置の動作を示すフローチャート。
【図３】フィールド機器情報管理装置の動作を示すフローチャート。
【図４】フィールド機器情報管理装置の動作を示すフローチャート。
【発明を実施するための形態】
【００１６】
以下、本発明によるフィールド機器情報管理装置の一実施形態について説明する。
【００１７】
図１は、本実施形態のフィールド機器情報管理装置の構成を示すブロック図である。
【００１８】
図１に示すように、本実施形態のフィールド機器情報管理装置１は、プラントに分散配置され、プラントのフィールド機器５，５，・・・を制御するフィールドコントローラ４，４，・・・と制御バス３を介して接続されている。コンフィギュレーションデータは制御バス３およびフィールドコントローラ４，４，・・・を介してフィールド機器５，５，・・・に向けてダウンロードされる。
【００１９】
図１に示すように、本実施形態のフィールド機器情報管理装置１は、フィールド機器群の実情報と、論理情報とを比較する比較手段１１と、比較手段１１により得られた実情報と論理情報との差分を抽出する差分抽出手段１２と、差分抽出手段１２により抽出された差分を解消するように論理情報を変更する論理情報変更手段１３と、差分抽出手段１２における抽出結果または論理情報変更手段１３による論理情報の変更結果等を報告する報告手段１４と、を備える。
【００２０】
また、フィールド機器情報管理装置１は、機器の実情報を格納する実情報格納部２１と、機器の論理情報を格納する論理情報格納部２２と、を備える。
【００２１】
図２〜図４は、フィールド機器情報管理装置１の動作を示すフローチャートである。
【００２２】
図２のステップＳ１〜ステップＳ３は、機器情報の合わせ込みを行う場合の動作手順を示しており、ユーザにより起動される。
【００２３】
図２のステップＳ１では、図１のステップＳ１１〜ステップＳ１４の機器情報収集処理を実行する。
【００２４】
ステップＳ１１では、プロジェクト（論理機器の集合）下に接続されている１つのセグメントに接続された機器５のうち、１つの機器についての実情報を制御バス３を介して取得する。取得された実情報は実情報格納部２１に格納される。
【００２５】
ここで取得される実情報は、「機器ＩＤ」、「機器タグ名」、「ノードアドレス」、「機器クラス」、「製造番号（MANUFAC_ID）」、「機器形式（DEV_TYPE）」、「機器レビジョン（DEV_REV）」、「ソフトウェアレビジョン」および「ブロック構成」である。
【００２６】
次に、ステップＳ１２では、当該セグメントに接続されたすべての機器について実情報が取得されたか否か判断し、判断が肯定されればステップＳ１３へ進み、判断が否定されればステップＳ１１へ戻る。
【００２７】
ステップＳ１３では、図１のステップＳ１３１〜ステップＳ１３４の差分確認処理を実行する。
【００２８】
ステップＳ１３１では、比較手段１１は、実情報格納部２１および論理情報格納部２２にアクセスし、ステップＳ１１で実情報を収集したセグメントについて、機器タグ名が一致する機器の論理情報と実情報とを比較する。
【００２９】
ここで比較される機器情報は、「ノードアドレス」、「製造番号（MANUFAC_ID）」、「機器形式（DEV_TYPE）」、「機器レビジョン（DEV_REV）」、「ソフトウェアレビジョン」および「ブロック構成」である。
【００３０】
次に、ステップＳ１３２では、ステップＳ１３１の比較結果に基づき、差分抽出手段１２は、論理情報と実情報とが一致しているか否か判断する。判断が肯定されればステップＳ１３４へスキップし、判断が否定されればステップＳ１３３へ進む。
【００３１】
ステップＳ１３３では、差分抽出手段１２で抽出された差分について差分情報を作成する。
【００３２】
次に、ステップＳ１３４では、当該セグメントのすべての機器について差分確認が終了したか否か判断し、判断が肯定されればリターンし、判断が否定されればステップＳ１３１へ戻り、次の機器について論理情報と実情報とを比較する。
【００３３】
次に、ステップＳ１４では、すべてのセグメントについて実情報の収集が終了したか否か判断し、判断が肯定されればリターンし、判断が否定されればステップＳ１１へ戻る。
【００３４】
図２のステップＳ２では、図３のステップＳ２１〜ステップＳ２５の合わせ込み処理を実行する。
【００３５】
ステップＳ２１では、ステップＳ１３（ステップＳ１３３）で作成された差分情報に基づき、作業指示書を作成する。この作業指示書には論理情報を実情報に合わせるように変更することで差分を解消する作業が示されている。
【００３６】
次に、ステップＳ２２では、作業指示書の指示内容を表示する。
【００３７】
次に、ステップＳ２３では、ユーザの操作を受け付け、その操作に基づいて、作業指示書に従う論理情報の変更が許可されたか否か判断する。判断が肯定されればステップＳ２４へ進み、判断が否定されればリターンする。
【００３８】
ステップＳ２４では、論理情報変更手段１３は、作業指示書に従って論理情報格納部２２の論理情報を変更し、差分を解消する。このように、ステップＳ２４では、機器情報に差分のある機器について論理情報を実情報に合わせるようにまとめて変更することで、差分を一度に解消することができる。
【００３９】
ここで、論理情報の変更対象となりうる機器情報は、「製造番号（MANUFAC_ID）」、「機器形式（DEV_TYPE）」および「機器レビジョン（DEV_REV）」である。
【００４０】
ステップＳ２５では、ステップＳ２４の作業を作業指示書から削除し、リターンする。
【００４１】
図２のステップＳ３では、図３のステップＳ３１〜ステップＳ３３のレポート出力処理を実行する。
【００４２】
ステップＳ３１では、比較手段１１は、実情報格納部２１および論理情報格納部２２にアクセスし、機器タグ名が一致する機器の論理情報と実情報とを比較し、差分抽出手段１２において差分を抽出する。
【００４３】
ステップＳ３２では、差分があるか否か判断し、判断が肯定されればステップＳ３３へ進み、判断が否定されればリターンする。
【００４４】
ステップＳ３３では、報告手段１４は、各機器の差分情報を結果レポートとして外部ファイルに出力する。結果レポートには、論理情報と実情報との相違が機器５ごとに差分情報として提示される。差分情報には、差分抽出手段１２における差分の抽出結果、論理情報変更手段１３による論理情報の変更結果、および論理情報変更手段１３による論理情報の変更では解消できない差分の存在を報告する情報等を含めることができる。
【００４５】
外部ファイルの形式としては、ＩＮＩ形式あるいはＣＳＶ形式がとられる。
【００４６】
図４のステップＳ４１〜ステップＳ４４は、一括等値化処理を示すフローチャートである。この処理は、ユーザにより起動される。
【００４７】
ステップＳ４１では、報告手段１４により出力された結果レポートをインポートする。
【００４８】
次に、ステップＳ４２では、結果レポートに示された差分情報を表示する。
【００４９】
次に、ステップＳ４３では、ユーザによる差分解消方法の指示を受け付ける。ここでは、ユーザは、機器情報を論理情報あるいは実情報のいずれに合わせるかを、機器ごとに個別に指定する。
【００５０】
次に、ステップＳ４４では、ユーザの指示に従って等値化を実行し、処理を終了する。ここでは、ユーザの指示に従い、実情報格納部２１の論理情報あるいは論理情報格納部２２の実情報を変更する。また、実情報に変更があった場合には、対応する機器の実情報も実機器にロードする。
【００５１】
以上のように、本実施形態のフィールド機器情報管理装置によれば、ダウンロードを実行する前に機器情報の不一致を確認できる。したがって、ダウンロードが失敗した後に、原因を探し出し、機器情報を合わせ込むような煩雑な作業を必要としない。また、機器情報に差分がある場合には論理情報を一括して変更するため、容易に機器情報の差分を解消できる。また、合わせ込みができない機器等については、差分情報が結果レポートとして出力される。このため、自動での合わせ込みができない、あるいは自動での合わせ込みを取りやめた機器については、ユーザが個別に差分の解消を図ることができる。
【００５２】
なお、機器情報の収集をフィールド機器情報管理装置１により実行する代わりに、プラントの現場で使用する調整ツール等を用いて実機器の機器情報（実情報）を収集してもよい。例えば、現場での調整作業を実施する際に、機器のレビジョン等の実情報を収集、格納しておき、これらの実情報を通信やファイルインタフェースを介して実情報格納部２１に格納してもよい。
【００５３】
本発明の適用範囲は上記実施形態に限定されることはない。本発明は、コンフィギュレーションデータをダウンロードすることで機能するフィールド機器群の機器情報を管理するフィールド機器情報管理装置およびフィールド機器情報管理方法に対し、広く適用することができる。
【符号の説明】
【００５４】
１      フィールド機器情報管理装置
１１    比較手段
１２    差分抽出手段
１３    論理情報変更手段
【図１】
2010182102.tif 000003
【図２】
2010182102.tif 000004
【図３】
2010182102.tif 000005
【図４】
2010182102.tif 000006